(57)【要約】【課題】上部食器かごを洗浄槽から取り外すことなく、従来の食器洗浄機に比べて食器収容の自由度を向上させることができる食器洗浄機を提供する。【解決手段】洗浄槽２に収容された下部食器かご３と、下部食器かご３の上方に収容された複数の上部食器かご４１，４２とを備え、洗浄槽２内に給水された水を下部食器かご３及び上部食器かご４１，４２に載せられた食器に噴射するようにしてある食器洗浄機において、一つの上部食器かご４１を支持する第１支持部５１ａ，５１ｂと、第１支持部５１ａ，５１ｂに対して上下方向に並設されており、他の上部食器かご４２を着脱自在に支持する第２支持部５２ａ，５２ｂと、第１支持部５１ａ，５１ｂに対して横方向に並設されており、他の上部食器かご４２を着脱自在に支持する第３支持部５３ａ，５３ｂとを備える。【選択図】図１
2007307313.tif 000002
【特許請求の範囲】
【請求項１】
洗浄槽に収容された下部食器かごと、該下部食器かごの上方に収容された複数の上部食器かごとを備え、前記洗浄槽内に給水された水を前記下部食器かご及び前記上部食器かごに載せられた食器に噴射するようにしてある食器洗浄機において、
前記上部食器かごの一つを支持する第１支持部と、
該第１支持部に対して上下方向に並設されており、他の上部食器かごを着脱自在に支持する第２支持部と、
前記第１支持部に対して横方向に並設されており、他の上部食器かごを着脱自在に支持する第３支持部と
を備えることを特徴とする食器洗浄機。
【請求項２】
他の上部食器かごは複数であり、
前記第２支持部は、
複数の他の上部食器かごを支持するようにしてある
ことを特徴とする請求項１に記載の食器洗浄機。
【請求項３】
前記第３支持部及び前記洗浄槽を折り畳み可能に接続する接続部を備える
ことを特徴とする請求項１又は請求項２に記載の食器洗浄機。
【請求項４】
前記洗浄槽は、
前記第３支持部を着脱自在に装着する装着部を備える
ことを特徴とする請求項１乃至請求項３のいずれか一つに記載の食器洗浄機。
【請求項５】
前記上部食器かご又は前記下部食器かごは、
食器を保持する複数の第１保持ピンを有する底部と、
食器を保持する複数の第２保持ピンを有する食器保持部と
を備え、
前記底部は、
前記第１保持ピン及び第２保持ピンの間隔が変化するように、前記食器保持部を移動可能に支持するようにしてある
ことを特徴とする請求項１乃至請求項４のいずれか一つに記載の食器洗浄機。
【発明の詳細な説明】
【技術分野】
【０００１】
本発明は、洗浄槽に収容された下部食器かご及び複数の上部食器かごを備え、洗浄槽内に給水された水を下部食器かご及び上部食器かごに載せられた食器に噴射するようにしてある食器洗浄機に関する。
【背景技術】
【０００２】
図１０は、従来の食器洗浄機の略示正面断面図である。
食器洗浄機は、食器を載せる下部食器かご３及び複数の上部食器かご４１，４２を収容する略直方体の洗浄槽２を備えており、洗浄槽２には、上部食器かご４１，４２を着脱自在に支持する複数の支持部が上下方向に夫々並設されている。下部食器かご３の下側には、洗浄槽２に給水された水を下部食器かご３及び上部食器かご４１，４２に載せられた食器に噴射することで、食器を洗浄する噴射ノズル６０，６０が設けられている。
【０００３】
特許文献１に係る食器洗浄機においては、洗浄する食器の大きさに応じて、上下方向における上部食器かご４１，４２の位置を変更することができるため、上部食器かご４１，４２の収容位置が固定されている場合に比べて、食器収容の自由度を向上させることができる。
【特許文献１】特開２００４−４１６８６号公報
【特許文献２】特開２００５−３３４５５２号公報
【発明の開示】
【発明が解決しようとする課題】
【０００４】
しかしながら、従来の食器洗浄機においては、上部食器かご４１，４２の位置を上下方向に変更することができるが、左右方向には変更できないため、洗浄槽２の上下方向の幅と同程度の大きさの食器を洗浄槽２に収容するような場合、上部食器かご４１，４２を洗浄槽２から取り外す必要があるという問題があった。
なお、上部食器かご４１，４２を取り外した場合、前記食器を収容することができるが、上部食器かご４１，４２を使用できないため、収容可能な食器点数が減少するという問題が生ずる。
【０００５】
本発明は、斯かる事情に鑑みてなされたものであり、上部食器かごの一つを支持する第１支持部に対して上下方向及び横方向に並設されており、他の上部食器かごを交換可能に支持する第２支持部及び第３支持部を備えることにより、洗浄槽の上下方向及び横方向における他の上部食器かごの位置を変更することができ、上部食器かごを洗浄槽から取り外すことなく、従来の食器洗浄機に比べて食器収容の自由度を向上させることができる食器洗浄機を提供することを目的とする。
【０００６】
本発明の他の目的は、複数の他の上部食器かご、及び他の上部食器かごの数以上の第２支持部を備えることにより、全ての上部食器かごを上下方向に並置することができ、洗浄槽の上下方向の幅と同程度の大きさの食器をより多く収容可能な食器洗浄機を提供することにある。
【０００７】
本発明の他の目的は、第３支持部及び洗浄槽を折り畳み可能に接続する接続部を備えることにより、第３支持部が不要な場合、食器収容の邪魔になる虞がある第３支持部を折り畳むことで食器収容の自由度をより向上させることができる食器洗浄機を提供することにある。
【０００８】
本発明の他の目的は、第３支持部を着脱自在に装着する装着部を洗浄槽に備えることにより、第３支持部が不要な場合、食器収容の邪魔になる虞がある第２支持部を取り外すことで食器収容の自由度を向上させることができる食器洗浄機を提供することにある。
【０００９】
本発明の他の目的は、下部食器かご又は上部食器かごに、食器を保持する複数の第１保持ピンを有する底部、食器を保持する複数の第２保持ピンを有する食器保持部を備え、第１及び第２保持ピンの間隔が変化するように、食器保持部が底部に対して移動するように構成することにより、食器の大きさ又は形状に応じて第１及び第２保持ピンの間隔を変化させることで食器収容の自由度をより向上させることができる食器洗浄機を提供することにある。
【課題を解決するための手段】
【００１０】
本発明に係る食器洗浄機は、洗浄槽に収容された下部食器かごと、該下部食器かごの上方に収容された複数の上部食器かごとを備え、前記洗浄槽内に給水された水を前記下部食器かご及び前記上部食器かごに載せられた食器に噴射するようにしてある食器洗浄機において、前記上部食器かごの一つを支持する第１支持部と、該第１支持部に対して上下方向に並設されており、他の上部食器かごを着脱自在に支持する第２支持部と、前記第１支持部に対して横方向に並設されており、他の上部食器かごを着脱自在に支持する第３支持部とを備えることを特徴とする。
【００１１】
本発明にあっては、第１支持部が、上部食器かごの一つを支持している。第２支持部及び第３支持部は、共に他の上部食器かごを着脱自在に支持することができるため、前記他の上部食器かごを相互に交換することができる。
また、第２支持部は、第１支持部に対して上下方向に並設されており、第３支持部は第１支持部に対して横方向に並設されている。従って、複数の上部食器かごを上下方向に並置し、且つ横方向に並置することができる。
【００１２】
本発明に係る食器洗浄機は、他の上部食器かごが複数であり、前記第２支持部は、複数の他の上部食器かごを支持するようにしてあることを特徴とする。
【００１３】
本発明にあっては、他の上部食器かごは複数であり、第２支持部は、複数の前記上部食器かごを支持する。つまり第２支持部の数は、他の上部食器かごの数以上であるため、上部食器かご全部を上下方向に並置することができる。
【００１４】
本発明に係る食器洗浄機は、前記第３支持部及び前記洗浄槽を折り畳み可能に接続する接続部を備えることを特徴とする。
【００１５】
本発明にあっては、連結部は、第３支持部及び洗浄槽を折り畳み可能に連結している。従って、第３支持部が不要な場合、食器収容の邪魔になる虞がある第３支持部を洗浄槽に折り畳むことができる。
【００１６】
本発明に係る食器洗浄機は、前記洗浄槽が、前記第３支持部を着脱自在に装着する装着部を備えることを特徴とする。
【００１７】
本発明にあっては、洗浄槽が備える装着部は、第３支持部を着脱自在に装着している。従って、第３支持部が不要な場合、食器収容の邪魔になる虞がある第３支持部を取り外すことができる。
【００１８】
本発明に係る食器洗浄機は、前記上部食器かご又は前記下部食器かごは、食器を保持する複数の第１保持ピンを有する底部と、食器を保持する複数の第２保持ピンを有する食器保持部とを備え、前記底部は、前記第１保持ピン及び第２保持ピンの間隔が変化するように、前記食器保持部を移動可能に支持するようにしてあることを特徴とする。
【００１９】
本発明にあっては、底部が食器保持部を移動可能に支持している。食器保持部が底部に対して移動した場合、底部が有する第１保持ピンと、食器保持部が有する第２保持ピンとの間隔が変化する。従って、載せる食器の大きさに応じて第１及び第２保持ピンの間隔を変化させることができる。
【発明の効果】
【００２０】
本発明によれば、洗浄槽の上下方向及び左右方向における他の上部食器かごの位置を変更することができ、上部食器かごを洗浄槽から取り外すことなく、従来の食器洗浄機に比べて食器収容の自由度を向上させることができる。
【００２１】
本発明によれば、全ての上部食器かごを上下方向に並置することができ、洗浄槽の上下方向の幅と同程度の大きさの食器をより多く収容することができる。
【００２２】
本発明によれば、上部食器かごの配置によって第３支持部が不要な場合、食器収容の邪魔になる虞がある第３支持部を折り畳むことで食器収容の自由度をより向上させることができる。
【００２３】
本発明によれば、上部食器かごの配置によって第３支持部が不要な場合、食器収容の邪魔になる虞がある第３支持部を取り外すことで食器収容の自由度を向上させることができる。
【００２４】
本発明によれば、食器の大きさ又は形状に応じて第１及び第２保持ピンの間隔を変化させることで食器収容の自由度をより向上させることができる。
【発明を実施するための最良の形態】
【００２５】
以下、本発明をその実施の形態を示す図面に基づいて詳述する。
（実施の形態１）  
図１及び図２は、本発明の実施の形態１に係る食器洗浄機の略示正面断面図である。
【００２６】
図中２は、筐体１に覆われた中空略直方体の洗浄槽である。洗浄槽２は、正面側に食器を収容するための開口部を形成しており、開口部は、上下に開閉可能な図示しない扉体によって閉塞されるように構成されている。
【００２７】
洗浄槽２は、底板部２０を有している。底板部２０の周縁部分には、両側壁２１、２２、背面壁２３及び正面壁が底板部２０に対して略垂直に形成されており、両側壁２１、２２及び背面壁２３の上端部分には天板部２４が形成されている。底板部２０の横方向一端側には、正面壁と共に洗浄水を貯留する貯留槽２５が凹設されている。底板部２０の前後方向略中央部には、横方向に２つの噴射ノズル６０、６０が並設されている。
【００２８】
また、洗浄槽２の下部には、複数の線条体を交差してなる略直方体の下部食器かご３が配されている。下部食器かご３は、平面視で略長方形の外枠線条体を備え、外枠線条体の内側には、前後方向及び横方向に交差して下部食器かご３の底部を構成し、両端側で上方へ屈曲した線条体が外枠線条体に直交した部分で溶着されている。
【００２９】
洗浄槽２内の下部食器かご３の上方には、複数、例えば２個の上部食器かご４１、４２が収容されている。上部食器４１，４２は、下部食器かご３と同様、複数の線条体を交差して構成されている。
【００３０】
天板部２４の横方向略中央部には、上部食器かご４１、４２を支持するための支持板５５が下方へ突設されている。支持板５５は、側壁２１、２２に略平行な板状であり、下端が洗浄槽２の上下方向略中央部に位置するような寸法を有している。
【００３１】
一の側壁２１及び支持板５５の下端部には、一の上部食器かご４１を着脱自在に支持するレール状の第１支持部５１ａ、５１ｂが対向するように形成されている。また、支持板５５及び一の側壁２１の上部には他の上部食器かご４２を着脱自在に支持するレール状の第２支持部５２ａ、５２ｂが対向するように形成されている。
上部食器かご４１、４２は、第１及び第２支持部５１ａ、５１ｂ、５２ａ、５２ｂに支持される鍔状の被支持部を備えていて、支持された状態で前後方向に摺動可能に構成してある。
【００３２】
更に、他の側壁２２及び支持板５５の下端部には、上部食器かご４２を着脱自在に支持するレール状の第３支持部５３ａ、５３ｂが形成されている。また、支持板５５及び他の側壁２２の上部には一の上部食器かご４１を着脱自在に支持する第４支持部５４ａ、５４ｂが形成されている。
【００３３】
また、側壁２２の下端部には、洗浄槽２に給水された水を加熱するヒータ６２が突設されている。
【００３４】
洗浄槽２の底板部２０と筐体１との間隙には、洗浄ポンプ６１が配設されている。洗浄ポンプ６１は、インペラ６１ｂ、及びインペラ６１ｂを収容するポンプケーシング６１ｃを備えており、インペラ６１ｂにはモータ６１ａの出力軸が接続されている。ポンプケーシング６１ｃは貯留槽２５に連通する吸込口、及び吐出口を有している。
【００３５】
ポンプの上側には、図示しない分水機構が配設されており、分水機構は、ポンプの吐出口が接続され、ポンプで加圧された洗浄水が流入する流入口及び複数の流出口を有するケーシングと、該ケーシング内に回転可能に設けた弁体とを備えており、該弁体の回転によって、洗浄水の流出先が順に切り換えられるように構成されている。分水機構の流出口には、噴射ホースを介して各洗浄ノズルが接続されている。
【００３６】
また、洗浄槽２と筐体１との間には、制御部６３が配されている。制御部６３は、例えばＭＰＵであり、給水、洗浄ポンプ６１の回転、ヒータ６２への給電を制御することで、洗浄槽２に給水され、加熱された水を食器へ噴射し、食器を洗浄する。
【００３７】
実施の形態１にあっては、図１に示すように一の上部食器かご４１を第１支持部５１ａ、５１ｂに支持させ、他の上部食器かご４２を第３支持部５３ａ、５３ｂに支持させることにより、上部食器かご４１、４２を横方向に並置することができる。
また、図２に示すように、一の上部食器かご４１を第１支持部５１ａ、５１ｂに支持させ、他の上部食器かご４２を第２支持部５２ａ、５２ｂに支持させることにより、上部食器かご４１、４２を上下方向に並置することができる。
従って、洗浄槽２の上下方向及び左右方向における他の上部食器かご４２の位置を変更することができ、上部食器かご４２を洗浄槽２から取り外すことなく、従来の食器洗浄機に比べて食器収容の自由度を向上させることができる。
具体的には、図２に示すように、洗浄槽２の上下方向の幅と同程度の大きさの食器を収容することができる。
【００３８】
同様に、一の上部食器かご４１を、第１支持部５１ａ，５１ｂ及び第４支持部５４ａ，５４ｂに支持させることができるため、洗浄槽２の上下方向及び左右方向における一の上部食器かご４１の位置を変更することができ、上部食器かご４１を洗浄槽２から取り外すことなく、従来の食器洗浄機に比べて食器収容の自由度を向上させることができる。
【００３９】
なお、実施の形態１にあっては、２個の上部食器かごを収容するように構成してあるが、２個以上の上部食器かごを収容するように構成しても良い。
また、上部食器かごを第１乃至第４支持部のいずれにも交換可能に構成しても良い。
【００４０】
（実施の形態２）  
図３及び図４は、実施の形態２に係る食器洗浄機の略示正面断面図である。実施の形態２に係る食器洗浄機は、上部食器かご２４１及び複数、例えば２個の上部食器かご２４２、２４２を上下及び横方向に並置して収容するように構成されている。
【００４１】
実施の形態２に係る洗浄槽２を構成する天板部２４には、２枚の第１及び第２支持板２５５、２５６が横方向に等間隔で突設されている。一の側壁２１及び第１支持板２５５の下端部には、実施の形態１と同様の第１支持部２５１ａ、２５１ｂが形成されている。また、第１支持部２５１ａ、２５１ｂの上部及び途中には、上部食器かご２４２、２４２を支持するレール状の第２支持部２５２ａ，２５２ｂが上下方向に２組形成されている。
【００４２】
また、他の側壁２２及び第２支持板２５６の下端部、並びに第１及び第２支持板２５５、２５６の下端部であって、内側の面には、レール状の第３支持部２５３ａ，２５３ｂ，２５３ｃ，２５３ｄが横方向に２組形成されている。
【００４３】
第３支持部を有する第２支持板２５６は、接続部２５７を介して洗浄槽２に接続されている。接続部２５７は、洗浄槽２から突出しており、前後方向の回動軸２５７ｂを有する突起２５７ａを備え、第２支持板２５６の基部は回動軸２５７ｂによって回動自在に支持されている。
【００４４】
このように構成された食器洗浄機にあっては、第２支持部２５２ａ，２５２ｂが不要な場合、図４に示すように第２支持部を有する第２支持板２５６を折り畳むことで食器収容の自由度をより向上させることができる。
【００４５】
また、第２支持部２５２ａ，２５２ｂ及び他の上部食器かご２４２、２４２は同数であるため、図４に示すように、一の上部食器かご２４１及び複数の他の上部食器かご２４２、２４２すべてを上下方向に並置することができ、洗浄槽２の上下方向の幅と同程度の大きさの食器をより多く収容することができる。
【００４６】
実施の形態２に係る食器洗浄機の他の構成、作用及び効果は、実施の形態１に係る食器洗浄機の構成、作用及び効果と同様であるため、対応する箇所には同様の符号を付してその詳細な説明を省略する。
【００４７】
（実施の形態３）  
図５及び図６は、実施の形態３に係る食器洗浄機の略示正面断面図である。
実施の形態３に係る洗浄槽２を構成する天板部２４には、実施の形態２と同様、２枚の第１及び第２支持板３５５、３５６が突設されている。一の側壁２１及び第１支持板３５５には、実施の形態２と同様の第１支持部３５１ａ、３５１ｂが形成されている。また、第１支持部３５１ａ、３５１ｂの上方には、上部食器かご２４２、２４２を支持する第２支持部３５２ａ、３５２ｂが上下方向に２組並設されている。
【００４８】
また、他の側壁２２及び第２支持板３５６の下端部、並びに第１支持板３５５及び第２支持板３５６の下端部には、上部食器かご２４２、２４２を支持する第３支持部３５３ａ、３５３ｂ、３５３ｃ、３５３ｄが横方向に２組並設されている。更に、第３支持部３５３ａ、３５３ｂ、３５３ｃ、３５３ｄの上側には、２組の第４支持部３５４ａ，３５４ｂ，３５４ｃ，３５４ｄが夫々形成されている。
【００４９】
第２支持板３５６の基部は、洗浄槽２に突設された装着部３５７（図６，７参照）に着脱可能に装着されている。
【００５０】
図７は、装着部３５７の構成を示す略示正面断面図である。
装着部３５７は、洗浄槽２から下方へ突出しており、横方向に離隔した２本の板部を備え、先端を鉤状に形成した爪部３５７ａ、３５７ａを備えている。爪部３５７ａ、３５７ａは、例えば弾性を有する合成樹脂にて形成されている。
第２支持板３５６は、２本の爪部３５７ａ、３５７ａが挿嵌する中空部を有している。また、第２支持板３５６の側面には、挿嵌した爪部３５７ａ、３５７ａに係止する係止孔部３５６ａ、３５６ａが形成されている。
【００５１】
このように構成された食器洗浄機にあっては、図６に示すように上部食器かごの配置によって第３支持部３５３ｂ、３５３ｃが不要な場合、第３支持部を有する第２支持板３５６を取り外すことで食器収容の自由度をより向上させることができる。
具体的には、係止孔３５６ａ、３５６ａに係合した爪部３５７，３５７を、第２支持板３５６を挟む方向へ押圧した場合、爪部３５７，３５７は、係止孔３５６ａ、３５６ａから外れ、第２支持板３５６は下方へ移動可能になる。つまり、第２支持板３５６に形成された第３支持部３５３ｂ、３５３ｃを洗浄槽２から取り外すことができる。
また、第２支持板３５６の中空部に爪部３５７，３５７を撓めて挿入し、係止孔３５６ａ、３５６ａに爪部３５７，３５７を係止させることで、第３支持部３５３ｂ、３５３ｃを有する第２支持板３５６を洗浄槽２に装着することができる。
【００５２】
実施の形態３に係る食器洗浄機の他の構成、作用及び効果は、実施の形態１に係る食器洗浄機の構成、作用及び効果と同様であるため、対応する箇所には同様の符号を付してその詳細な説明を省略する。
【００５３】
（実施の形態４）  
図８は、実施の形態４に係る食器洗浄機が収容している下部食器かご４０３の略示側面図である。
【００５４】
下部食器かご４０３は、実施の形態１と同様、平面視で略長方形の外枠線条体を備え、外枠線条体の内側には、前後方向及び横方向に交差して下部食器かご４０３の底部４３１を構成し、両端側で上方へ屈曲した線条体が外枠線条体に直交した部分で溶着されている。底部４３１には、食器を保持する複数の第１保持ピン４３１ａが横方向及び前後方向に溶着されている。
【００５５】
また、下部食器かご４０３は、前後方向及び横方向に交差した線条からなり、第１保持ピン４３１ａと同様の第２保持ピン４３２ａが横方向及び前後方向に溶着された食器保持部４３２を備えている。
【００５６】
食器保持部４３２は、下部食器かご４０３の底部４３１に対して横方向に移動可能に支持されている。例えば、食器保持部４３２を構成する横方向の線条を、底部４３１に設けられた環状の線条４３３，４３３に遊嵌することで、食器保持部４３２は底部４３１に対して移動可能に支持される。
【００５７】
実施の形態４に係る食器洗浄機にあっては、食器Ａの大きさ又は形状に応じて、図８（ａ）及び（ｂ）に示すように、下部食器かご４０３の底部４３１に対して食器保持部４３２を移動させ、第１及び第２保持ピン４３２ａの間隔を変化させることで食器収容の自由度をより向上させることができる。
【００５８】
なお、上部食器かご４１、４２も、下部食器かご４０３と同様に構成しても良い。
【００５９】
図９は、変形例に係る食器洗浄機が収容している下部食器かご４０３の略示側面図である。
変形例に係る下部食器かご４０３の第２保持ピン４３２ａは、第１保持ピン４３１ａに比べて短い。
【００６０】
このように構成された食器洗浄機にあっては、第２保持ピン４３２ａで食器Ａの底が支えられるように、食器Ａを下部食器かご４０３に載せている場合、図９（ａ）及び（ｂ）に示すように、下部食器かご４０３の底部４３１に対して食器保持部４３２を移動させ、第１及び第２保持ピン４３２ａの間隔を変化させることで、食器Ａの傾きを任意に選択することができる。
【００６１】
なお、実施の形態１にあっては、下部食器かごを第１保持ピンを有する底部及び第２保持ピンを有する食器保持部で構成しているが、同様に、上部食器かごを第１保持ピンを有する底部及び第２保持ピンを有する食器保持部で構成しても良い。
【００６２】
実施の形態４に係る食器洗浄機の他の構成、作用及び効果は、実施の形態１に係る食器洗浄機の構成、作用及び効果と同様であるため、対応する箇所には同様の符号を付してその詳細な説明を省略する。
【図面の簡単な説明】
【００６３】
【図１】本発明の実施の形態１に係る食器洗浄機の略示正面断面図である。
【図２】本発明の実施の形態１に係る食器洗浄機の略示正面断面図である。
【図３】実施の形態２に係る食器洗浄機の略示正面断面図である。
【図４】実施の形態２に係る食器洗浄機の略示正面断面図である。
【図５】実施の形態３に係る食器洗浄機の略示正面断面図である。
【図６】実施の形態３に係る食器洗浄機の略示正面断面図である。
【図７】装着部の構成を示す略示正面断面図である。
【図８】実施の形態４に係る食器洗浄機が収容している下部食器かごの略示側面図である。
【図９】変形例に係る食器洗浄機が収容している下部食器かごの略示側面図である。
【図１０】従来の食器洗浄機の略示正面断面図である。
【符号の説明】
【００６４】
１  筐体
２  洗浄槽
３，４０３  下部食器かご
２０  底板部
２１、２２  側壁
２１  側壁
２２  側壁
２３  背面壁
２４  天板部
２５  貯留槽
４１  上部食器かご
４２  上部食器かご
４１、４２  上部食器かご
５０  支持板
５１ａ、５１ｂ  第１支持部
５２ａ、５２ｂ  第２支持部
５３ａ、５３ｂ  第３支持部
６０、６０  噴射ノズル
６１  洗浄ポンプ
６２  ヒータ
６３  制御部
２５７  接続部
３５７  装着部
４３１  底部
４３１ａ  第１保持ピン
４３２  食器保持部
４３２ａ  第２保持ピン
Ａ  食器
【図１】
2007307313.tif 000003
【図２】
2007307313.tif 000004
【図３】
2007307313.tif 000005
【図４】
2007307313.tif 000006
【図５】
2007307313.tif 000007
【図６】
2007307313.tif 000008
【図７】
2007307313.tif 000009
【図８】
2007307313.tif 000010
【図９】
2007307313.tif 000011
【図１０】
2007307313.tif 000012